(57)【要約】ディジタル放送における放送コンテンツ用の方法、システムおよび受信端末が提供される。本方法は、放送コンテンツの優先順位を設定するステップと、放送コンテンツの間に放送コンフリクトが存在する場合に、前記優先順位に従って、表示するコンテンツを決定するステップとを含む。本発明では、放送コンテンツの表示は優先順位に従って管理される。したがって、放送コンテンツの放送コンフリクトは表示の間に解決される。優先順位がコンテンツ・サーバーによって設定され、且つ変えられない状態に設定されている場合、新しいサービス、例えば、義務的な広告が付加された無料放送コンテンツは、サービス・プロバイダーにとって容易に提供されることができる。【選択図】図３
2009506597.tif 000002
【特許請求の範囲】
【請求項１】
放送コンテンツの優先順位を設定するステップと、
前記放送コンテンツがコンフリクトする場合、前記放送コンテンツの前記優先順位に従って再生される放送コンテンツを決定するステップと、を含むディジタル放送のコンテンツ再生方法。
【請求項２】
前記放送コンテンツがコンフリクトする場合、前記放送コンテンツの前記優先順位に従って再生される放送コンテンツを決定する前記ステップが、
同じ優先順位を有する前記放送コンテンツがコンフリクトする場合には、コンフリクトする前記コンテンツから、放送コンテンツを選択して再生するステップと、
異なる優先順位を有する前記放送コンテンツがコンフリクトする場合には、より高い優先順位を有する放送コンテンツを選択して再生するステップと、をさらに含むことを特徴とする請求項１に記載の方法。
【請求項３】
前記放送コンテンツがコンフリクトする場合、再生されない放送コンテンツを格納するステップと、
現在の放送コンテンツを完全に再生した後に、格納された前記コンテンツがまだ有効期間にある場合、格納された前記放送コンテンツを再生するステップと、をさらに含むことを特徴とする請求項１に記載の方法。
【請求項４】
前記現在の放送コンテンツを完全に再生した後、格納された前記放送コンテンツを再生するとき、格納された前記放送コンテンツの後続のデータが受信され続けている場合、前記後続のデータの受信及び格納を継続することを特徴とする請求項３に記載の方法。
【請求項５】
前記放送コンテンツの前記優先順位を設定する前記ステップにおいて、
前記優先順位が修正され得るか否かをさらに設定することを特徴とする請求項１に記載の方法。
【請求項６】
前記放送コンテンツの前記優先順位が修正され得ると設定されている場合、前記放送コンテンツの再生前に、前記放送コンテンツの前記優先順位が、ユーザの要求に従って調整されることを特徴とする請求項５に記載の方法。
【請求項７】
ディジタル放送サービスガイド及び放送コンテンツを受信端末へリリースするために使用されるコンテンツ・サーバーと、
前記コンテンツ・サーバーによってリリースされた前記ディジタル放送サービスガイド及び前記放送コンテンツを受信し、前記放送コンテンツをローカルに再生する前記受信端末と、を備え、
前記コンテンツ・サーバーが、さらに、前記ディジタル放送サービスガイドに含まれている放送コンテンツの優先順位を設定するために使用され、
前記受信端末が、さらに、前記放送コンテンツが再生の間にコンフリクトする場合、再生される放送コンテンツを前記優先順位により決定するために使用されることを特徴とするディジタル放送のコンテンツ再生システム。
【請求項８】
前記コンテンツ・サーバーが、さらに、前記放送コンテンツの前記優先順位が修正され得るか否かを設定するのに使用され、
前記設定が前記ディジタル放送サービスガイドに含まれることを特徴とする請求項７に記載のシステム。
【請求項９】
前記放送コンテンツがコンフリクトする場合、再生される放送コンテンツを前記優先順位により決定することが、
同じ優先順位を有する前記放送コンテンツがコンフリクトする場合には、コンフリクトする前記放送コンテンツから放送コンテンツを選択して再生すること、及び、
異なる優先順位を有する前記放送コンテンツがコンフリクトする場合には、より高い優先順位を有する放送コンテンツを選択して再生することをさらに含むことを特徴とする請求項７に記載のシステム。
【請求項１０】
前記受信端末が、さらに、前記優先順位が修正されることを許されている前記放送コンテンツの前記優先順位を修正するのに使用されることを特徴とする請求項７に記載のシステム。
【請求項１１】
前記受信端末が、さらに、前記放送コンテンツがコンフリクトする場合に再生されない放送コンテンツを格納するために使用される記憶装置を含むことを特徴とする請求項７に記載のシステム。
【請求項１２】
前記記憶装置がさらに、現在の放送コンテンツが完全に再生された後、格納された前記放送コンテンツを再生する時、受信した、格納された前記放送コンテンツの後続のデータを格納するのに使用されることを特徴とする請求項１１に記載のシステム。
【請求項１３】
ディジタル放送サービスガイド及び放送コンテンツを受信端末へリリースするために使用されるコンテンツ・サーバーと、
前記コンテンツ・サーバーによってリリースされた前記放送コンテンツを受信し、前記放送コンテンツをローカルに再生する前記受信端末と、を備え、
前記受信端末がさらに、前記放送コンテンツの優先順位を設定し、且つ、前記放送コンテンツがコンフリクトする場合に、前記放送コンテンツの前記優先順位に従って再生される放送コンテンツを決定するために使用されることを特徴とするディジタル放送サービスのコンテンツ再生システム。
【請求項１４】
前記放送コンテンツがコンフリクトする場合に、前記優先順位に従って再生される放送コンテンツを決定することが、
同じ優先順位を有する前記放送コンテンツがコンフリクトする場合には、コンフリクトする前記放送コンテンツから放送コンテンツを選択して再生するステップと、
異なる優先順位を有する前記放送コンテンツがコンフリクトする場合には、より高い優先順位を有する放送コンテンツを選択して再生するステップと、をさらに含むことを特徴とする請求項１３に記載のシステム。
【請求項１５】
前記受信端末が、さらに、前記放送コンテンツがコンフリクトする場合に再生されない放送コンテンツを格納するために使用される記憶装置を含むことを特徴とする請求項１３に記載のシステム。
【請求項１６】
前記記憶装置がさらに、現在の放送コンテンツが完全に再生された後、格納された前記放送コンテンツを再生する時に、受信した、格納された前記放送コンテンツの後続のデータを格納するのに使用されることを特徴とする請求項１５に記載のシステム。
【請求項１７】
放送コンテンツをダウンロードし、該放送コンテンツをローカルに再生するディジタル放送サービスの受信端末であって、
前記受信端末がさらに、前記放送コンテンツの優先順位を設定し、且つ、再生の間に前記放送コンテンツがコンフリクトする場合、前記優先順位に従って、再生されるコンテンツを決定するために使用されることを特徴とするディジタル放送の受信端末。
【請求項１８】
再生の間に前記放送コンテンツがコンフリクトする場合、前記優先順位に従って再生される放送コンテンツを決定することが、
同じ優先順位を有する前記放送コンテンツがコンフリクトする場合には、コンフリクトする前記放送コンテンツから放送コンテンツを選択して再生すること、及び、
異なる優先順位を有する前記放送コンテンツがコンフリクトする場合には、高い優先順位を有するコンテンツを選択して再生することをさらに含むことを特徴とする請求項１７に記載の受信端末。
【請求項１９】
前記受信端末が、さらに、前記放送コンテンツがコンフリクトする場合、再生されない放送コンテンツを格納するために使用される記憶装置を含むことを特徴とする請求項１７に記載の受信端末。
【請求項２０】
前記記憶装置が、さらに、現在の放送コンテンツが完全に再生された後、格納された前記放送コンテンツを再生する時に、受信した、格納された前記放送コンテンツの後続のデータを格納するために使用されることを特徴とする請求項１９に記載の受信端末。
【発明の詳細な説明】
【技術分野】
【０００１】
本発明は、通信分野に関し、特に、ディジタル放送サービスにおけるコンテンツ再生方法、システム及び受信端末に関する。
【背景技術】
【０００２】
ディジタル放送サービスが公衆に画像、音声、マルチメディア及びデータを提供するために使用されている。情報は、点から面への放送手段を利用してユニバーサルな受信端末を通じて公衆のもとへ送信される。受信端末は、放送網中のコンテンツ・サーバーによって送信されてきたデータを受動的に受信するのみであり、コンテンツ・サーバーとの間には相互に作用するリバース・チャネルが存在しない。
【０００３】
ディジタル放送サービスが、スケジューラによって調整される大量の放送コンテンツをカバーする。スケジューラにより、ユーザは放送コンテンツがどの放送時間に、またどの放送チャンネルによって放送されるかを知ることができる。スケジューラは、また、有効時間、コンテンツ放送及び受信時間、並びにコンテンツ再生時間などを含むことができる。スケジューラは、コンテンツ・サーバーによって受信端末へ送信されるディジタル放送ガイドに含まれる。
【０００４】
現在、放送コンテンツをアレンジするとき、プログラムの放送時間におけるコンフリクトが考慮に入れられていない。コンテンツ提供者が、なるべくコンフリクトを回避するために自分の提供するコンテンツを処理することはできるが、他の提供者をコントロールすることはできない。さらに、放送コンテンツが多彩にあるため、コンテンツ提供者は一度に複数のコンテンツを提供することがある。したがって、放送コンテンツのコンフリクトは不可避である。また、ユーザが複数の放送コンテンツを予約する可能性があるので、再生時間がコンフリクトしないのを保証することは難しい。放送コンテンツの間のコンフリクトは、放送を受信しているユーザに多くの不便をもたらし、ユーザが後で再生しようとするコンテンツを失わずに特定のコンテンツを優先的に再生することを不可能にしている。
【発明の開示】
【発明が解決しようとする課題】
【０００５】
本発明は、ディジタル放送サービスにおける放送コンテンツの伝送（送受信）時間及び再生時間の間のコンフリクトを解決することを目的とする。
【課題を解決するための手段】
【０００６】
上記の目的を達成するために、本発明は、ディジタル放送におけるコンテンツ再生方法を提供する。この方法は、
放送コンテンツの優先順位を設定するステップと、
上記放送コンテンツがコンフリクトする場合、上記放送コンテンツの上記優先順位に従って再生される放送コンテンツを決定するステップと、を含む。
【０００７】
また、上記放送コンテンツがコンフリクトする場合、上記放送コンテンツの上記優先順位に従って再生される放送コンテンツを決定する上記ステップが、
同じ優先順位を有する上記放送コンテンツがコンフリクトする場合には、ユーザが、コンフリクトする上記コンテンツから、再生される放送コンテンツを選択するステップと、
異なる優先順位を有する上記放送コンテンツがコンフリクトする場合には、より高い優先順位を有する放送コンテンツを選択して再生するステップと、をさらに含む。
【０００８】
また、本方法では、
上記放送コンテンツがコンフリクトする場合、再生されない放送コンテンツを格納するステップと、
現在の放送コンテンツを完全に再生した後に、格納された上記コンテンツがまだ有効期間にある場合、格納された上記放送コンテンツを再生するステップと、をさらに含む。
【０００９】
また、本方法では、さらに、
現在の放送コンテンツを完全に再生した後、格納された上記放送コンテンツを再生するときに、格納された上記放送コンテンツの後続のデータが受信され続けている場合、上記後続のデータを受信、及び格納することを継続する。
【００１０】
また、本方法では、さらに、上記放送コンテンツの上記優先順位を設定する場合、上記優先順位が修正され得るか否かを設定する。
【００１１】
また、本方法では、上記放送コンテンツの上記優先順位が修正され得ると設定する場合、放送コンテンツの再生前に、ユーザの要求に従って上記放送コンテンツの上記優先順位を調整する。
【００１２】
また、上述の目的を達成するために、本発明は、さらに、ディジタル放送サービスにおける、コンテンツ・サーバー及び受信端末を含むコンテンツ再生システムを提供する。
【００１３】
上記コンテンツ・サーバーは、ディジタル放送サービスガイド及び放送コンテンツを上記受信端末へリリースするために使用され、さらに、上記ディジタル放送サービスガイドに含まれる放送コンテンツの優先順位を設定するためにも使用される。
【００１４】
上記受信端末は、上記コンテンツ・サーバーによってリリースされた上記ディジタル放送サービスガイド及び上記放送コンテンツを受信し、上記放送コンテンツをローカルに再生するために使用され、さらに、上記放送コンテンツが再生の間にコンフリクトする場合、再生される放送コンテンツを上記優先順位により決定するためにも使用される。
【００１５】
また、上記コンテンツ・サーバーが、さらに、上記放送コンテンツの上記優先順位が修正され得るか否かを設定するのに使用される。該設定が上記ディジタル放送サービスガイドに含まれる。
【００１６】
上記放送コンテンツが再生の間にコンフリクトする場合、再生される放送コンテンツを上記優先順位により決定することが、
同じ優先順位を有する上記放送コンテンツがコンフリクトする場合には、コンフリクトする上記放送コンテンツから放送コンテンツを選択して再生すること、及び、
異なる優先順位を有する上記放送コンテンツがコンフリクトする場合には、より高い優先順位を有する放送コンテンツを選択して再生することさらに含む。
【００１７】
上記受信端末が、さらに、上記優先順位が修正されることを許されている上記放送コンテンツの上記優先順位を修正するのに使用される。
【００１８】
上記受信端末が、上記放送コンテンツがコンフリクトする場合に再生されない放送コンテンツを格納するために使用される記憶装置をさらに含む。
【００１９】
上記記憶装置がさらに、現在の放送コンテンツが完全に再生された後、格納された上記放送コンテンツを再生する時、格納された上記放送コンテンツの後続のデータを格納するのに使用される。
【００２０】
また、本発明は、ディジタル放送サービスにおけるコンテンツ・サーバー及び受信端末を有する別のコンテンツ再生システムを提供する。
【００２１】
上記コンテンツ・サーバーは、ディジタル放送サービスガイド及び放送コンテンツを上記受信端末へリリースするために使用される。
【００２２】
上記受信端末は、上記コンテンツ・サーバーによってリリースされた上記放送コンテンツを受信し、上記放送コンテンツをローカルに再生するために使用される。さらに、上記受信端末は、上記放送コンテンツの上記優先順位を設定し、且つ、上記放送コンテンツがコンフリクトする場合、上記放送コンテンツの上記優先順位に従って再生される放送コンテンツを決定するためにも使用される。
【００２３】
上記放送コンテンツがコンフリクトする場合、上記優先順位に従って再生される放送コンテンツを決定することが、
同じ優先順位を有する上記放送コンテンツがコンフリクトする場合には、コンフリクトする前記放送コンテンツから放送コンテンツを選択して再生すること、及び、
異なる優先順位を有する上記放送コンテンツがコンフリクトする場合には、より高い優先順位を有する放送コンテンツを選択して再生することをさらに含む。
【００２４】
上記受信端末が、上記放送コンテンツがコンフリクトする場合に再生されない放送コンテンツを格納するために使用される記憶装置をさらに含んでいる。
【００２５】
上記記憶装置が、さらに、現在の放送コンテンツが完全に再生された後、格納された上記放送コンテンツを再生する時に、受信した、格納された上記放送コンテンツの後続のデータを格納するのに使用される。
【００２６】
本発明は、さらに、放送コンテンツをダウンロードし、該放送コンテンツをローカルに再生するディジタル放送サービスの受信端末を提供する。上記受信端末が、上記放送コンテンツの優先順位を設定し、且つ、上記放送コンテンツがコンフリクトする場合、上記優先順位に従って、再生されるコンテンツを決定するために使用される。
【００２７】
再生の間に上記放送コンテンツがコンフリクトする場合、上記優先順位に従って再生される放送コンテンツを決定することが、
同じ優先順位を有する上記放送コンテンツがコンフリクトする場合には、コンフリクトする上記放送コンテンツから放送コンテンツを選択して再生すること、及び、
異なる優先順位を有する上記放送コンテンツがコンフリクトする場合には、高い優先順位を有するコンテンツを選択して再生することをさらに含む。
【００２８】
上記受信端末が、さらに、上記放送コンテンツがコンフリクトする場合、再生されない放送コンテンツを格納するために使用される記憶装置を含む。
【００２９】
上記記憶装置が、さらに、現在の放送コンテンツが完全に再生された後、格納された上記放送コンテンツを再生する時に、受信した、格納された上記放送コンテンツの後続のデータを格納するために使用される。
【発明の効果】
【００３０】
本発明は、放送コンテンツをその優先順位に応じて管理、再生することにより、再生する際の放送コンテンツのコンフリクトを解決することができる。さらに、放送コンテンツの優先順位がコンテンツ・サーバー上で設定される際、修正することができないように設定されれば、サービス・プロバイダーは新しいサービスを提供するのが簡単である。例えば、サービス・プロバイダーは、ユーザに無料の放送コンテンツを提供する際、コンテンツに加えられた広告を強制的に再生させる。
【発明を実施するための最良の形態】
【００３１】
本発明の目的、技術的解決手段、及び利点を明確にするために、以下、本発明を、幾つかの実施の形態及び図面を通じて詳細に説明する。以下で説明される実施の形態は、本発明を限定するものではなく、本発明を解説するためのものであると理解されるべきである。
【００３２】
ディジタル放送サービスのコンテンツの放送受信及び再生の時間面におけるコンフリクトを解決するために、本発明は、放送コンテンツの優先順位を設定し、放送コンテンツがコンフリクトする場合に、より高い優先順位を有するコンテンツの受信及び再生を確保する。
【００３３】
（第１の実施の形態）
図１は、本発明の第１の実施の形態によるディジタル放送サービス用のコンテンツ再生システムの構成を示す図である。このシステムは、１つ以上のコンテンツ・サーバーおよび１つ以上の受信端末を含んでいる。
【００３４】
コンテンツ・サーバーは、デジタルビデオ放送ネットワーク（ＤＶＢ）のような放送ネットワーク、移動通信ネットワークあるいはインターネットを通じて、ディジタル放送サービスガイドを受信端末へリリースし、かつ、このディジタル放送サービスガイドに従って放送コンテンツを受信端末へ送信する。ディジタル放送サービスガイドは、ディジタル放送サービスのサービス情報及びコンテンツ情報、例えば、コンテンツに関する説明の記述、コンテンツ・オンデマンドの課金、及び、どのプログラムがどの時間帯に入手可能であるかをユーザに通知するスケジューラを含む。ガイドは、さらに、放送コンテンツの優先順位の設定情報、及びそれらの優先順位が修正され得るかどうかの設定情報を含む。コンテンツ・サーバーは、大型、または中型のサーバーでありえる。
【００３５】
受信端末は、放送コンテンツをダウンロードして再生し、且つ、放送コンテンツの優先順位を調整、修正することができる。また、放送コンテンツがコンフリクトする場合には、受信端末は、放送コンテンツの優先順位に従ってローカルに再生されるコンテンツを決定する。受信端末は、さらに記憶装置を含み得、該記憶装置は、放送コンテンツのコンフリクトの場合に再生されないコンテンツを格納するために使用され、また、現在のコンテンツが完全に再生された後、格納されたコンテンツを再生する時に、受信した、該格納されたコンテンツの後続のデータを格納するために使用される。受信端末は、コンテンツ・サーバーによって提供される放送コンテンツをダウンロードする種々の通信端末、例えば、携帯電話、パーソナルコンピュータ、あるいは携帯情報端末（ＰＤＡ）であり得る。記憶装置は、内蔵のＲＡＭ或いはハードディスクのような記憶メディアであり得る。
【００３６】
図２は、本発明の第１の実施の形態による、放送コンテンツの優先順位を設定するフローチャートである。このフローチャートは、次のようなステップを含む。
【００３７】
ステップ１０１：コンテンツ・サーバーは、コンテンツの独創性及び人気度に応じて放送コンテンツの優先順位を設定する。この設定情報は、ディジタル放送サービスガイドに含まれる。コンテンツ・サーバーはディジタル放送サービスガイドを受信端末へ送信する。
【００３８】
上記の優先順位を決めるとき、コンテンツ・サーバーはさらに、設定された放送コンテンツの優先順位が修正されてもよいかについても設定することができる。その情報もディジタル放送サービスガイドに含まれる。
【００３９】
ステップ１０２：ディジタル放送の受信端末は、ディジタル放送サービスガイドを受信した後に、優先順位等の設定情報を取得し、ディジタル放送サービスガイドが受信されたことをユーザに通知する。
【００４０】
ステップ１０３：ユーザは、自分のニーズに応じて、コンテンツ・サーバーによって設定された放送コンテンツの優先順位を調整し、但し、優先順位の調整を許されないコンテンツについては調整しない。
【００４１】
ユーザが最新の放送コンテンツ及びその優先順位を取得できることを保証するために、次のようなことに留意されるべきである。即ち、コンテンツ・サーバーは、放送コンテンツを送信する前にディジタル放送サービスガイドを受信端末へ送信する必要がある。コンテンツ・サーバーは、さらにサービスガイド中の優先順位の設定を定期的に更新し、該サービスガイドを受信端末へ周期的に送信することができる。
【００４２】
ここに、説明されるべき点がある。即ち、ステップ１０１において放送コンテンツの優先順位の設定情報、及びこの優先順位が修正され得る否かについての設定情報をサービスガイドに含ませることは、ディジタル放送サービスガイド中のコンテンツに関する記述に優先順位記述のフィールドを加えることによって達成できる。
【００４３】
図３は、本発明の第１の実施の形態による、受信端末がコンテンツ・サーバーによって送信された放送コンテンツを受信した後、放送コンテンツを処理するフローチャートである。該フローチャートは以下のようなステップを含む。
【００４４】
ステップ２０１：コンテンツ・サーバーは、スケジューラに従って新しい放送コンテンツを受信端末へ送信する。
【００４５】
ステップ２０２：コンテンツ・サーバーによって送信された放送コンテンツを受信した後に、受信端末は、放送コンテンツのコンフリクトが存在するかどうかをチェックする。存在する場合には、プロセスはステップ２０３へ進む。そうでなければ、受信端末は新しい放送コンテンツを直接に受信、または再生する。
【００４６】
ステップ２０３：受信端末は、受信した新しい放送コンテンツの優先順位が現在受信、または再生されている放送コンテンツの優先順位より高いかどうかをチェックする。高い場合には、ステップ２０４へ進み、低い場合には、ステップ２０６へ進み、２つのコンテンツの優先順位が同じである場合には、ステップ２０５へ進む。
【００４７】
ステップ２０４：受信端末は、より高い優先順位を有する新しい放送コンテンツを直ちに選択して、受信、または再生する。
【００４８】
ステップ２０５：受信端末は、どのコンテンツを処理するかを選択するようにユーザに促す。コンテンツ・サーバーは、ユーザによって選択された放送コンテンツを送信し続ける。受信端末は、ユーザによって選択された放送コンテンツを再生する。
【００４９】
ステップ２０６：受信端末は、現在の放送コンテンツを受信、または再生することを継続する。
【００５０】
上記のステップ２０４、２０５及び２０６では、受信端末が新しい放送コンテンツを受信する際、受信端末は、さらに、ユーザのために再生プロンプトを表示し、新しいコンテンツを受信または再生する必要があることをユーザに通知する。記憶容量が許す場合、受信端末は再生されていない放送コンテンツを格納する。選択された放送コンテンツを受信、または再生した後、受信端末は、格納されている放送コンテンツがまだ有効期間内にある場合に、格納されているコンテンツを再生することをユーザに通知する。格納されているコンテンツを再生している場合に、前回中断された放送コンテンツを受信しているとき、受信端末は、この前回中断された放送コンテンツの後続のデータを受信し格納し続けることができる。
【００５１】
放送コンテンツの優先順位は、サービス要求に応じてコンテンツ・サーバーの中でコンテンツ提供者によって柔軟に設定される。例えば、優先順位は、高、中、及び低の３つのレベル、或いは最高、高、中、普通、及び低の５つのレベルを含むことが可能である。以下では、本発明の上記の実施の形態において、再生における優先順位の作用効果をより詳細に説明する。
【００５２】
一例として、優先順位は、例えば、高いものから低いものまでの４レベル、すなわち、０、１、２、及び３を含むとする。
【００５３】
レベル０は、最高の優先順位である。放送コンテンツがコンフリクトする場合には、優先順位がレベル０のコンテンツを再生あるいは受信することを優先的に保証する。
【００５４】
レベル１は、第２の最高優先順位である。放送コンテンツがコンフリクトし、且つ、優先順位がレベル０のコンテンツが存在しない場合には、優先順位がレベル１のコンテンツの受信あるいは再生を優先的に保証する。優先順位がレベル０のコンテンツが存在し、受信端末の記憶容量が十分な場合、受信端末は優先順位がレベル１のコンテンツを格納し、ユーザに放送プロンプトを提示する。優先順位が０のコンテンツが完全に再生または受信された後、優先順位がレベル１のコンテンツがまだ有効期間にある場合、受信端末は、すぐに、優先順位１のコンテンツを再生または受信することを開始する。
【００５５】
レベル２は、普通の優先順位である。放送コンテンツがコンフリクトし、優先順位が２より高いコンテンツが存在しない場合には、優先順位がレベル２のコンテンツの受信あるいは再生を優先的に保証する。優先順位がレベル２より高いコンテンツが受信または再生されている場合、受信端末は、ユーザに放送プロンプトを提示し、優先順位２のコンテンツを受信または再生することを停止して、より高い優先順位のコンテンツを受信または再生することを始める。
【００５６】
レベル３は、優先順位がもっとも低い。放送コンテンツがコンフリクトし、優先順位がレベル３より高いコンテンツが存在しない場合には、優先順位がレベル３のコンテンツの受信あるいは再生を優先的に保証する。優先順位がレベル３より高いコンテンツが受信または再生されている場合には、受信端末は、優先順位３のコンテンツの受信または再生を停止して、より高い優先順位のコンテンツの受信または再生を開始する。
【００５７】
上述した実施の形態は、放送コンテンツのコンフリクトを解決するために、優先順位による放送コンテンツの管理が有益であることを示した。さらに、放送コンテンツの優先順位がコンテンツ・サーバー上で設定され、且つ、この優先順位が修正できないように設定されれば、コンテンツ提供者にとって新しいサービスを提供することは簡単である。例えば、サービス・プロバイダーは放送コンテンツを無料で提供するが、コンテンツの中に加えられた広告を再生することをユーザに強いることが可能である。
【００５８】
（第２の実施の形態）
上記第１の実施の形態と同様に、本第２の実施の形態によるディジタル放送サービスのコンテンツ再生システムは、１つ以上のコンテンツ・サーバー及び１つ以上の受信端末を含む。
【００５９】
コンテンツ・サーバーは、ＤＶＢのような放送ネットワーク、移動通信ネットワークあるいはインターネットを通じてディジタル放送サービスガイドを受信端末へリリースし、且つ、ディジタル放送サービスガイドに基づいて受信端末へ放送コンテンツを送信する。ディジタル放送サービスガイドは、ディジタル放送サービスのサービス情報及びコンテンツ情報、例えば、コンテンツに関する説明の記述、コンテンツ・オンデマンドの課金、及びどのプログラムがどの時間帯で入手可能であるかをユーザに通知するスケジューラを含む。
【００６０】
受信端末は、放送コンテンツをダウンロードし、放送コンテンツのための優先順位を設定し、コンテンツの優先順位に従ってコンテンツをローカルに再生する。受信端末は記憶装置をさらに含むことができる。記憶装置は、放送コンテンツのコンフリクトの場合に再生されないコンテンツを格納するために使用され、また、現在のコンテンツが完全に再生された後に、格納されたコンテンツを再生する場合に、受信したこの格納されたコンテンツの後続のデータを格納するために使用される。
【００６１】
なお、コンテンツ・サーバーによって送信された放送コンテンツを受信した後、受信端末は、本発明の第１の実施の形態でのような同じ方法でコンテンツを処理、再生する。ここでは、その詳細を省略する。
【００６２】
本発明の第２の実施の形態から分かるように、本発明のシステム及び方法は、放送コンテンツの優先順位に従ってコンテンツを管理することにより、放送コンテンツのコンフリクトの解決を促進している。しかしながら、この第２の実施の形態では、コンテンツ・サーバーは一部の重要なコンテンツの優先順位を管理することができず、その結果、特定の放送サービスを実現することができないという点において上記の第１の実施の形態と異なる。例えば、コンテンツ・サーバーは、無料コンテンツの再生の間に、放送コンテンツに加えられた広告の再生をユーザに強いることができない。
【００６３】
本発明において、コンテンツは、コンテンツ・サーバーによって提供される様々な放送コンテンツ、プログラム、及びサービスを含む。再生は、放送コンテンツの受信、ダウンロード、または再生そのもの等の操作を含む。
【００６４】
以上では、本発明をいくつかの好ましい実施の形態を通じて説明したが、本発明はそのような実施の形態に限定されるものではない。本発明の精神及び原理の範囲内のどんな変更、均等な置換、あるいは改良も、本発明の保護範囲に含まれることが意図されている。
【図面の簡単な説明】
【００６５】
【図１】本発明の一実施の形態による、ディジタル放送サービスのコンテンツ再生システムの構成を示す図である。
【図２】本発明の一実施の形態による、放送コンテンツの優先順位を設定するフローチャートである。
【図３】本発明の一実施の形態による、受信端末が、コンテンツ・サーバーによって送信された放送コンテンツを受信した後、放送コンテンツを処理するフローチャートである。
【図１】
2009506597.tif 000003
【図２】
2009506597.tif 000004
【図３】
2009506597.tif 000005
【国際調査報告】
2009506597.tif 000006
2009506597.tif 000007
2009506597.tif 000008
2009506597.tif 000009